(57)【要約】      （修正有）【課題】記憶装置を搭載せずとも、表示している画像のデータを出力できるようにする。【解決手段】画素電極５３と、コモン線３５に接続された透明電極５１と、無電力状態で表示色を保持する表示層５５とを有する画素回路６０を、複数の選択線３３、及び、複数の信号線３４の交差に対応して設けた電子ペーパーであって、画素回路６０は、選択線３３からの信号に応じてオンして信号線３４の電位を画素電極５３に与えるＴＦＴ６１と、画素電極５３に一端が接続され他端がコモン線３５に接続され、画素電極５３がＴＦＴ６１を介して信号線３４に接続されることにより画素電極５３及び透明電極５１間の電位差が両端に印加されて分極し、この分極状態を無電力状態で保持する強誘電体キャパシタ７０と、を備える。さらに、各信号線３４の一端には、センスアンプ８０が設けられており、各センスアンプ８０の出力が表示画像出力部に入力されている。【選択図】図３
2008249979.tif 000002
【特許請求の範囲】
【請求項１】
第１電極と、コモン線に接続された第２電極と、
前記第１電極及び前記第２電極の間に設けられ、前記第１電極及び前記第２電極間の電
位差によって生じる電界の方向に応じて表示色が可変され、前記表示色を保持する表示層
とを有する画素回路を、複数の選択線、及び、前記選択線のそれぞれに略直交する複数の
信号線の交差に対応して設けた表示装置であって、
前記画素回路のそれぞれは、
前記選択線からの信号に応じてオンして前記第１電極を前記信号線に接続し、前記信号
線に流れる信号の電位を前記第１電極に与え、前記第１電極及び前記第２電極間に電圧を
印加するスイッチング素子と、
前記第１電極に一端が接続され他端が前記コモン線に接続され、前記第１電極及び前記
第２電極間に印加された電圧により両端の間に電位差が生じて分極し、この分極状態を保
持する誘電体キャパシタと、
を備えることを特徴とする表示装置。
【請求項２】
請求項１に記載の表示装置において、
前記スイッチング素子をオンする信号を前記選択線に供給する第１走査回路と、
前記第１走査回路によって前記スイッチング素子がオンしている間、前記表示層の表示
色を規定する電位の信号を前記信号線に供給し前記第１電極に与える第２走査回路とを備
え、
前記誘電体キャパシタの分極状態を読み出す場合には、
前記第１走査回路は、前記スイッチング素子をオンして、前記誘電体キャパシタの前記
第１電極側の一端を前記信号線に接続すると共に、
前記第２走査回路は、前記信号線をハイインピーダンス又はオープン状態にし、前記誘
電体キャパシタの分極状態に応じた電位の出力信号を前記信号線に出力させる
ことを特徴とする表示装置。
【請求項３】
請求項２に記載の表示装置において、
前記画素回路のそれぞれの誘電体キャパシタから出力された出力信号に基づいて、前記
画素回路のそれぞれによって表示されている画像の画像データを出力する表示画像出力部
を備え、
前記表示画像出力部が画像データを出力した場合、前記誘電体キャパシタからの出力信
号の出力に伴って変化した画素回路の表示色を、前記表示画像出力部からの画像データに
基づいて戻すことを特徴とする表示装置。
【請求項４】
請求項３に記載の表示装置において、
前記誘電体キャパシタからの出力信号の出力に伴って変化した画素回路の表示色を戻す
場合、前記誘電体キャパシタから所定電圧以上の出力信号が得られた画素回路のみを対象
として表示色を戻すことを特徴とする表示装置。
【請求項５】
請求項１乃至４のいずれかに記載の表示装置を備えたことを特徴とする電子機器。
【発明の詳細な説明】
【技術分野】
【０００１】
本発明は、表示内容の維持に電力消費が不要な表示装置、及び、この表示装置を備えた
電子機器に関する。
【背景技術】
【０００２】
近年、電子的に画像の書き込み（記録）が可能で、書き込んだ画像を無電源状態でも維
持して表示し続けることができる表示装置が種々開発されており、このような表示装置の
うち紙のように薄型であるものは「電子ペーパー」とも呼ばれている。
電子ペーパーとしては、共に電極が形成された一対の基板間に、例えば情報を表示する
表示層を封止し、基板の電極間の電位差により電界を発生して表示層の表示色を変化させ
る構成が一般に知られている。この表示層には、例えば、帯電粒子を封止したマイクロカ
プセル（電気泳動方式）や、２色に塗り分けられた帯電球体又は円柱状素子（ツイストボ
ール方式）、帯電トナー又は電子粉流体（粉体移動方式）、電気化学反応によって色が変
化する材料（エレクトロデポジション方式）などの材料が用いられる。
上記のような電子ペーパーは、現在紙が使用されている例えば新聞や雑誌、グリーティ
ングカード、本などへの使用が検討及び実用されている（例えば、特許文献１参照）。
【特許文献１】特開２００２−５１４７９３号公報
【発明の開示】
【発明が解決しようとする課題】
【０００３】
しかしながら、電子ペーパーのような表示装置に表示されている画像のデータを他の装
置に出力する場合には、表示すべき画像のデータが入力された際に、この画像のデータを
記憶しておく記憶装置が表示装置に予め搭載されている必要がある。このような記憶装置
を、揮発性メモリの一例であるＳＲＡＭ（Ｓｔａｔｉｃ  ＲＡＭ）により構成した場合、
画像のデータを保持し続けるためには、この記憶装置に電力を供給し続けなければならず
、表示装置にバッテリーを搭載する必要が生じる。
【０００４】
そこで、不揮発性メモリの一例であるフラッシュメモリにより記憶装置を構成すること
で、表示装置にバッテリーを搭載する必要が無くなるものの、フラッシュメモリはフレキ
シブル性に欠けるため、紙のように折り曲げ自在な、いわゆる電子ペーパーが実現できな
くなってしまう。
さらに、不揮発性或いは揮発性メモリからなる記憶装置を電子ペーパーに搭載する構成
とすると、表示装置のコストアップにもなり、さらに、記憶装置を搭載するための回路ス
ペースも必要となる。
本発明は、上述した事情に鑑みてなされたものであり、記憶装置を搭載せずとも、低コ
ストかつ回路スペースの大幅な増大を招くことなく、表示している画像のデータを出力す
ることができる表示装置、及び、電子機器を提供することを目的とする。
【課題を解決するための手段】
【０００５】
上記目的を達成するために、本発明は、第１電極と、コモン線に接続された第２電極と
、前記第１電極及び前記第２電極の間に設けられ、前記第１電極及び前記第２電極間の電
位差によって生じる電界の方向に応じて表示色が可変され、前記表示色を保持する表示層
とを有する画素回路を、複数の選択線、及び、前記選択線のそれぞれに略直交する複数の
信号線の交差に対応して設けた表示装置であって、前記画素回路のそれぞれは、前記選択
線からの信号に応じてオンして前記第１電極を前記信号線に接続し、前記信号線に流れる
信号の電位を前記第１電極に与え、前記第１電極及び前記第２電極間に電圧を印加するス
イッチング素子と、前記第１電極に一端が接続され他端が前記コモン線に接続され、前記
第１電極及び前記第２電極間に印加された電圧により両端の間に電位差が生じて分極し、
この分極状態を保持する誘電体キャパシタと、を備えることを特徴とする。
【０００６】
この構成によれば、第１電極及び第２電極間に生じた電位差に応じて誘電体キャパシタ
が分極し、この分極状態が第１電極及び第２電極間の電位差が無くなった後も保持される
。このとき、誘電体キャパシタの分極方向は、第１電極と第２電極との間に生じた電界の
方向に一致するため、画素回路のそれぞれの表示層に印加された電界の方向（すなわち表
示色）が誘電体キャパシタの分極により記憶されることとなる。
これにより、記憶装置を搭載せずとも、誘電体キャパシタの分極状態を読み出すことで
、低コストかつ回路スペースの大幅な増大を招くことなく、各画素回路が表示している画
像のデータを出力することが可能となる。
さらに、上記構成によれば、第１電極及び第２電極間に生じた電位差に応じて誘電体キ
ャパシタが分極するため、誘電体キャパシタの両端の電位差が第１電極及び第２電極間に
印加され表示層の表示色の保持性を向上させることもできる。
【０００７】
また本発明に係る表示装置は、上記発明において、前記スイッチング素子をオンする信
号を前記選択線に供給する第１走査回路と、前記第１走査回路によって前記スイッチング
素子がオンしている間、前記表示層の表示色を規定する電位の信号を前記信号線に供給し
前記第１電極に与える第２走査回路とを備え、前記誘電体キャパシタの分極状態を読み出
す場合には、前記第１走査回路は、前記スイッチング素子をオンして、前記誘電体キャパ
シタの前記第１電極側の一端を前記信号線に接続すると共に、前記第２走査回路は、前記
信号線をハイインピーダンス又はオープン状態にし、前記誘電体キャパシタの分極状態に
応じた電位の出力信号を前記信号線に出力させることを特徴とする。
【０００８】
この構成によれば、選択線及び信号線を走査して画素回路のそれぞれの表示色を可変し
て画像を表示するための第１走査回路及び第２走査回路を用いて、誘電体キャパシタの分
極状態に応じた出力信号が得られるため、回路の大幅な変更を必要とせず、表示している
画像を簡単に読み出すことができる。
【０００９】
また本発明に係る表示装置は、上記発明において、前記画素回路のそれぞれの誘電体キ
ャパシタから出力された出力信号に基づいて、前記画素回路のそれぞれによって表示され
ている画像の画像データを出力する表示画像出力部を備え、前記表示画像出力部が画像デ
ータを出力した場合、前記誘電体キャパシタからの出力信号の出力に伴って変化した画素
回路の表示色を、前記表示画像出力部からの画像データに基づいて戻すことを特徴とする
。
【００１０】
この構成によれば、誘電体キャパシタの両端の電位差を可変して、誘電体キャパシタか
ら出力信号を出力させることによって表示層の表示色が変化してしまった場合でも、表示
画像出力部から出力された画像データに基づいて表示色が戻されるため、表示している画
像が損なわれることが無い。
【００１１】
また本発明に係る表示装置は、上記発明において、前記誘電体キャパシタからの出力信
号の出力に伴って変化した画素回路の表示色を戻す場合、前記誘電体キャパシタから所定
電圧以上の出力信号が得られた画素回路のみを対象として表示色を戻すことを特徴とする
。
この構成によれば、誘電体キャパシタから出力信号を出力させることでて表示層の表示
色が変化してしまった画素回路のみを対象として表示色を戻すための処理が行われるため
、表示画像の読み出しによって損なわれた画像を再描画する際の処理の高速化及び省電力
化を図ることができる。
【００１２】
また、上記目的を達成するために、本発明は、上記のいずれかに記載の表示装置を備え
たことを特徴とする電子機器を提供する。
この電子機器によれば、本発明に係る表示装置と同様な効果を奏する。
【発明を実施するための最良の形態】
【００１３】
以下、図面を参照して本発明の実施形態について説明する。
図１は、本実施形態に係る電子ペーパー１０の機能的構成を示すブロック図である。電
子ペーパー１０は、信号処理回路２０と、マトリクス状に配置された複数の画素回路６０
を有する表示パネル３０とを有し、このうち信号処理回路２０は、プリント基板に形成さ
れた回路モジュールにより構成され、ＦＰＣ（Flexible Printed Circuit）基板等によっ
て表示パネル３０と接続されている。
【００１４】
信号処理回路２０は、表示パネル３０の表示を制御するための回路であり、主制御部２
１、接続Ｉ／Ｆ部２２、表示用信号生成部２３、走査制御部２４、及び、表示画像出力部
２５を備えている。主制御部２１は、信号処理回路２０の各部を制御する。接続Ｉ／Ｆ部
２２は電子ペーパー１０に外部機器１００を接続する接続インターフェースであり、表示
パネル３０に書き込む画像のデータである書込画像データＶｄが外部機器１００から接続
Ｉ／Ｆ部２２を介して入力され、また、表示パネル３０が表示している画像のデータであ
る表示画像データＶｘが接続Ｉ／Ｆ部２２を介して外部機器１００に出力される。
【００１５】
表示用信号生成部２３は、接続Ｉ／Ｆ部２２から入力された書込画像データＶｄに基づ
いて、表示パネル３０が備える画素回路６０のそれぞれに与える表示用信号Ｖｅを生成し
、表示パネル３０に出力する。走査制御部２４は、表示パネル３０が表示用信号Ｖｅを画
素回路６０のそれぞれに与える際のタイミング信号ＣＬＸ、ＣＬＹを生成し、次に説明す
る垂直走査回路３１及び水平走査回路３２に出力する。表示画像出力部２５は、表示パネ
ル３０が表示している画像の表示画像データＶｘを、各画素回路６０から得られる信号（
後に詳述）に基づいて生成し、接続Ｉ／Ｆ部２２を介して外部機器１００に出力する。
【００１６】
次に、表示パネル３０の電気的構成の説明に先立って便宜上構造的構成を説明する。
図２は、表示パネル３０の構造を模式的に示す断面図であり、（Ａ）は表示パネル３０
の断面を示し、（Ｂ）はその一部を拡大して示す。
表示パネル３０は、プラスチックなどの透明基板５０に形成された透明電極（第２電極
）５１と、ガラスなどの基板５２に形成された画素電極（第１電極）５３とを対向配置し
、これら透明電極５１と画素電極５３との間に表示層５４を配置して構成されており、こ
れらのうち上記透明基板５０及び透明電極５１が表示パネル３０の表示面側に配置されて
いる。
上記表示層５４は、多数のマイクロカプセル５５を有して形成されている。マイクロカ
プセル５５は、透明樹脂を数ナノメートルオーダーの略球状体に形成したものであり、マ
イクロカプセル５５の中には、透明な絶縁性液体共に、（＋）に帯電した白色粒子５６と
（−）に帯電した黒色粒子５７とが封入されている。
【００１７】
したがって、図２（Ｂ）に示すように、透明電極５１に負電位を与え、画素電極５３に
正電位を与えると、（＋）に帯電した白色粒子５６が透明電極５１に向かって移動し、（
−）に帯電した黒色粒子５７が画素電極５３に向かって移動し、透明基板５０の方向から
みた表示色は白色となる。これとは逆に、透明電極５１に正電位を与え、画素電極５３に
負電位を与えると、（−）に帯電した黒色粒子５７が透明電極５１に向かって移動し、（
＋）に帯電した白色粒子５６が画素電極５３に向かって移動し、透明基板５０の方向から
みた表示色は黒色となる。そして、画素電極５３と、この画素電極５３の電位を制御する
スイッチング素子を含んで、表示パネル３０の１つの画素回路６０が構成されている。
【００１８】
さらに詳述すると、前掲図１に示すように、表示パネル３０は、図においてＸ（水平）
方向に延在する複数の選択線３３と、この選択線３３と略直交するＹ（垂直）方向に延在
する複数の信号線３４とを有し、これらの選択線３３と信号線３４との交差部分の各々に
対応するように画素回路６０が設けられている。さらに、各信号線３４の一端には、セン
スアンプ８０が設けられており、各センスアンプ８０の出力が表示画像出力部２５に入力
されている。
【００１９】
画素回路６０は、図３に示されるように、ｎチャネル型のＴＦＴ（薄膜トランジスタ）
６１のソースが信号線３４に接続されるとともに、ドレインが画素電極５３に接続される
一方、ゲートが選択線３３に接続されている。また、画素回路６０の画素電極５３のそれ
ぞれに共通して透明電極５１が設けられ、この透明電極５１は、Ｈレベル又はＬレベルの
電圧レベルとなるコモン線３５に接続されている。そして、上述のように、画素電極５３
と透明電極５１との間に、表示層５４を構成するマイクロカプセル５５が配置されている
。
【００２０】
また、画素回路６０には、画素電極５３と透明電極５１との間に与える電位差を一定時
間保持するための保持容量６２が形成されている。この保持容量６２の一端は、画素電極
５３（ＴＦＴ６１のドレイン）に接続される一方、その他端はコモン線３５に接続されて
いる。
また全ての画素回路６０には保持容量６２と並列に強誘電体キャパシタ７０が設けられ
ている。より詳細には、強誘電体キャパシタ７０は、一端が画素電極５３（ＴＦＴ６１の
ドレイン）に接続され他端がコモン線３５に接続されており、画素電極５３及び透明電極
５１の間に電位差が生じた場合、この電位差が両端に印加されて電気分極を生じる。強誘
電体キャパシタ７０に生じた電気分極は電力供給が絶たれ、画素電極５３及び透明電極５
１の間の電位差が略ゼロになった後も不揮発的に維持する。これにより、各画素回路６０
において、画素電極５３及び透明電極５１の間に生じた電位差（マイクロカプセル５５に
印加された電界の方向）が強誘電体キャパシタ７０の電気分極の状態により記憶されるこ
ととなる。
【００２１】
前掲図１に戻り、マトリクス状に配置された画素回路６０の周辺には、垂直走査回路（
第１走査回路）３１や水平走査回路（第２走査回路）３２などの周辺回路が設けられてい
る。このうち、垂直走査回路３１は、順次排他的に１水平走査期間にわたってＨレベルに
なる選択信号Ｇ１、Ｇ２、Ｇ３、…を、それぞれ１行目、２行目、３行目…の選択線３３
に供給するものである。選択信号Ｇ１、Ｇ２、Ｇ３…がＨレベルとなった選択線３３にお
いては、その選択線３３にゲートが接続されている各画素回路６０のＴＦＴ６１がオンす
る。
水平走査回路３２は、１水平走査期間の間に、１列目、２列目、３列目…の信号線３４
を順次排他的に選択すると共に、選択している信号線３４に表示用信号Ｖｅを供給するも
のである。
すなわち、選択信号Ｇ１、Ｇ２、Ｇ３…がＨレベルとなった選択線３３においては、１
列目、２列目、３列目…の信号線３４に接続されているＴＦＴ６１に順次、電圧レベルが
Ｈレベル又はＬレベルの表示用信号Ｖｅが供給される。このとき、Ｈレベルの表示用信号
Ｖｅが画素回路６０に供給される間、透明電極５１がＬレベルとなり、これとは逆に、Ｌ
レベルの表示用信号Ｖｅが画素回路６０に供給されている間は、透明電極５１がＨレベル
となる。
【００２２】
すなわち、Ｈレベルの表示用信号Ｖｅが信号線３４に供給された場合には、コモン線３
５がＬレベルとなるため、ＴＦＴ６１がオン状態の画素回路６０では、画素電極５３と透
明電極５１との間に、画素電極５３から透明電極５１に向かう電界を発生させる電位差が
生じ、この画素電極５３と透明電極５１との間に介在するマイクロカプセル５５では、（
−）に帯電した黒色粒子５７が画素電極５３に集結し、（＋）に帯電した白色粒子５６が
透明電極５１に集結し、この画素回路６０の表示色が白色になる。
【００２３】
このとき画素回路６０の強誘電体キャパシタ７０においては、画素電極５３と透明電極
５１との間に生じた電位差によって、ＴＦＴ６１のドレインに接続された側が（＋）に、
コモン線３５に接続された側が（−）に分極するため、この分極状態によって画素回路６
０の表示色を白色にした事が示されることになる。
【００２４】
また、Ｌレベルの表示用信号Ｖｅが信号線３４に供給された場合には、コモン線３５が
Ｈレベルとなるため、ＴＦＴ６１がオン状態の画素回路６０では、画素電極５３と透明電
極５１との間に、透明電極５１から画素電極５３に向かう電界を発生させる電位差が生じ
、画素電極５３と透明電極５１との間に介在するマイクロカプセル５５では、（＋）に帯
電した白色粒子５６が画素電極５３に集結し、（−）に帯電した黒色粒子５７が透明電極
５１に集結し、この画素回路６０の表示色が黒色になる。
【００２５】
またこのとき画素回路６０の強誘電体キャパシタ７０においては、画素電極５３と透明
電極５１との間に生じた電位差によって、ＴＦＴ６１のドレインに接続された側が（−）
に、コモン線３５に接続された側が（＋）に分極するため、この分極状態によって画素回
路６０の表示色を黒色にした事が示されることになる。
【００２６】
次いで、上記のようにして強誘電体キャパシタ７０に保持された分極状態を読み出す場
合、すなわち、画素回路６０の表示色を読み出す場合には、垂直走査回路３１が選択信号
Ｇ１、Ｇ２、Ｇ３…を順次排他的にＨレベルして１行ずつ画素回路６０を選択すると共に
、水平走査回路３２が１列目の画素回路６０から順に、画素回路６０が備えるＴＦＴ６０
のソースと、信号線３４に信号を供給する図示せぬ信号線回路との間をハイインピーダン
ス（或いはオープン）とする。このとき、コモン線３５の電圧レベルは信号処理回路２０
が備える図示せぬコモン線電圧制御回路によってＨレベルに維持される。
【００２７】
この結果、強誘電体キャパシタ７０においては、ＴＦＴ６１のドレインに接続された側
が（＋）に分極している場合、強誘電体キャパシタ７０の分極が反転し、大きな電荷が信
号線３４に流れるため、その画素回路６０に対応する信号線３４の電位が上昇する。そし
て信号線３４の電位の上昇が、この信号線３４の一端に接続されたセンスアンプ８０によ
ってＨレベルの出力信号に増幅され表示画像出力部２５に出力される。
表示画像出力部２５は、Ｈレベルの出力信号が入力されることで、その画素回路６０の
表示色が白色である事を特定することが可能となる。
【００２８】
これとは逆に、強誘電体キャパシタ７０において、ＴＦＴ６１のドレインに接続された
側が（−）に分極している場合には、強誘電体キャパシタ７０の分極に反転が生じないた
め、信号線３４への電荷の移動は僅かである。したがって、信号線３４の電位を増幅する
センスアンプ８０からはＬレベルの出力信号が表示画像出力部２５に出力される。
表示画像出力部２５は、Ｌレベルの信号が入力されることで、その画素回路６０表示色
が黒色である事を特定することが可能となる。
【００２９】
したがって、１行の選択線３３ずつ画素回路６０を選択し、選択している選択線３３の
各画素回路６０において、１列目の画素回路６０から順に、コモン線３５をＨレベル、か
つ、信号線３４をハイインピーダンス（或いはオープン）とすることで、選択している選
択線３３及びハイインピーダンスとしている信号線３４の交点の画素回路６０の表示色に
応じたＨレベル又はＬレベルの信号がセンスアンプ８０を介して表示画像出力部２５に出
力され、これを全ての画素回路６０について実行することで、表示パネル３０に表示され
ている画像の表示画像データＶｘが得られることとなる。
【００３０】
ただし、画素回路６０の表示色を読み出した場合、コモン線３５をＨレベル、かつ、信
号線３４をハイインピーダンス（或いはオープン）とするため、各画素回路６０において
は、透明電極５１の電位が上昇し、（−）に帯電した黒色粒子５７が透明電極５１に集結
する。この結果、白色を呈していた画素回路６０の表示色は黒色に変化して全ての画素回
路６０の表示色が黒色となるため、表示パネル３０に表示されていた画像が消去される。
【００３１】
そこで、信号処理回路２０においては、表示画像出力部２５が生成した表示画像データ
Ｖｘを書き込み対象の書込画像データとして表示用信号Ｖｅを生成し、各画素回路６０に
供給することで、画素回路６０の表示色を、強誘電体キャパシタ７０が分極に応じた信号
を出力する直前の表示色に戻すことで画像を再描画する。この画像の再描画を行う際には
、全ての画素回路６０の表示色が黒色になっているため、表示用信号生成部２３は、表示
色を白色にする画素回路６０に対してのみ、すなわち、強誘電体キャパシタ７０の分極を
読み出したときにＨレベルの出力信号が得られた画素回路６０に対してのみ、Ｈレベルの
表示用信号Ｖｅを供給する。これにより、画素回路６０の表示色を黒色にするための処理
時間、及び、電力を省くことができるため、再描画の高速化及び省電力化が図られること
となる。
【００３２】
このように、本実施形態によれば、画素電極５３及び透明電極５１の間に生じた電位差
（すなわち、画素電極５３及び透明電極５１の間に生じた電界）に応じて強誘電体キャパ
シタ７０が電気分極し、この電気分極状態が無電力状態下でも保持されるため、画素回路
６０のそれぞれの表示層５４に印加された電界の方向（すなわち表示色）が強誘電体キャ
パシタ７０の分極により記憶されることとなる。
これにより、記憶装置を搭載せずとも、強誘電体キャパシタ７０の電気分極状態を読み
出すことで、低コストかつ回路スペースの大幅な増大を招くことなく、各画素回路６０が
表示している画像の表示画像データＶｘを出力することが可能となる。
【００３３】
また、本実施形態によれば、画素電極５３及び透明電極５１の間に生じた電位差に応じ
て強誘電体キャパシタ７０が電気分極し、この電気分極による電位差が無電力状態下にお
いては画素電極５３及び透明電極５１の間に印加されるため、表示層５４の表示色の保持
性を向上させることができる。
【００３４】
また本実施形態によれば、選択線３３及び信号線３４を走査して画素回路６０のそれぞ
れの表示色を可変して画像を表示するための垂直走査回路３１及び水平走査回路３２を用
いて、強誘電体キャパシタ７０の分極状態に応じた出力信号を得ることができるため、回
路の大幅な変更を必要とせず、表示している画像の表示画像データＶｘを簡単に得ること
ができる。
【００３５】
また本実施形態によれば、画素回路６０のそれぞれの強誘電体キャパシタ７０から出力
された出力信号に基づいて表示画像データＶｘを出力した場合に、この表示画像データＶ
ｘに基づいて、画像を再描画する構成としたため、各画素回路６０の強誘電体キャパシタ
７０から出力信号を出力させることによって表示層５４の表示色が変化してしまった場合
でも、再描画が行われるため、表示していた画像が損なわれることが無い。
【００３６】
また本実施形態によれば、強誘電体キャパシタ７０からの出力信号の出力に伴って変化
した画素回路の表示色を戻して画像を再描画する場合、強誘電体キャパシタ７０からＨレ
ベルの出力信号が得られた画素回路６０のみを対象として表示色を戻す構成としたため、
表示画像の読み出しによって損なわれた画像を再描画する際の処理の高速化及び省電力化
が図られる。
【００３７】
なお、上述した実施の形態は、あくまでも本発明の一態様を示すものであり、本発明の
範囲内で任意に変形および応用が可能である。
例えば、電子ペーパー１０として、マイクロカプセル５５の中に、互いに異なる極性及
び色の粒子を封入した、いわゆる２粒子系の電気泳動方式を説明したが、これに限らず、
帯電粒子として、正負のいずれか１の極性に帯電した着色粒子のみをマイクロカプセル５
５に封入した、いわゆる１粒子系の電気泳動方式としても良い。
また、例えば、上述した実施形態では、帯電粒子を封入したマイクロカプセル５５を表
示層５４に備える電気泳動方式の電子ペーパー１０について説明したが、本発明の電子ペ
ーパーは、これに限らず、電界が印加されることにより当該電界が被印加された箇所の表
示色が変化する表示層５４を備えた電子ペーパーであれば、ツイストボール方式、粉体移
動方式、エレクトロデポジション方式などの各種の方式を採用して実施することができる
。
【００３８】
また、電子ペーパー１０を用いて、手書き入力及びその入力内容の表示を可能にするタ
ブレット装置を構成することが可能である。
図４は、本発明の応用例に係るタブレット装置２００の構成を模式的に示す図である。
タブレット装置２００の表示部２０２は、上記電子ペーパー１０の表示パネル３０と、
透明なタッチパネル２０１とを積層して構成され、また、装置本体２００Ａには、電子ペ
ーパー１０が備える信号処理回路２０やタッチパネル２０１へのタッチ入力を可能にする
ための回路が内蔵されており、また、外部機器を接続するためのコネクタ部２０４が設け
られている。
【００３９】
そして、タッチパネル２０１上にタッチペン２０３を用いて文字や線などを描画する動
作を行うと、タッチペン２０３が触れた箇所に対する表示パネル３０の画素回路６０の表
示色が黒色に変化し、これにより、手書き入力された文字や線が描画される。
また、このようにして描画された画像の表示画像データＶｘが上記信号処理回路２０の
表示画像出力部２５によって接続Ｉ／Ｆ部２２を介して、コネクタ部２０４に接続された
外部機器に出力される。これにより、たとえば外部機器がプリンタ等の印刷装置とすれば
、表示部２０２の表示を印刷することができる。
【図面の簡単な説明】
【００４０】
【図１】本発明の実施形態に係る電子ペーパーの機能的構成を示す図である。
【図２】電子ペーパーの断面図であり、（Ａ）は全体を示し、（Ｂ）は一部を拡大して示す。
【図３】画素回路の構成を示す回路図である。
【図４】本発明の応用例に係るタブレット装置を示す図である。
【符号の説明】
【００４１】
１０…電子ペーパー（表示装置）、２０…信号処理回路、２５…表示画像出力部、３０
…表示パネル、３１…垂直走査回路（第１走査回路）、３２…水平走査回路（第２走査回
路）、３３…選択線、３４…信号線、３５…コモン線、５１…透明電極（第２電極）、５
３…画素電極（第１電極）、５４…表示層、５５…マイクロカプセル、６０…画素回路、
６１…ＴＦＴ（スイッチング手段）、７０…強誘電体キャパシタ、８０…センスアンプ、
２００…タブレット装置、Ｖｘ…表示画像データ。
【図１】
2008249979.tif 000003
【図２】
2008249979.tif 000004
【図３】
2008249979.tif 000005
【図４】
2008249979.tif 000006